(57)【要約】【課題】  液体中に気体を適度に溶解させることが可能な温浴装置を提供することを目的とする。【解決手段】  温浴装置は、脚用の温浴槽２２と、一対の腕用の温浴槽２１と、温浴槽２０に流入出する液体の処理を行う液体処理装置１とを備える。液体処理装置１は、ヒータ５０と、流路７１乃至７５を有する循環機構７０と、循環する液体中に気体を供給する気体供給機構９０と、循環する液体を浄化するためのろ過機構１００と、気体を混合して溶解させる混合機構１１０とを備える。【選択図】        図３
2006141617.tif 000002
【特許請求の範囲】
【請求項１】
温浴槽と、液体の加熱機構と、前記温浴槽と前記加熱機構との間で液体を循環させる循環機構と、前記循環機構により循環する液体中に気体を混合して溶解させる混合機構と、を備えた温浴装置であって、
前記混合機構は、
その上部に液体の流入管に接続する孔部が形成されたチャンバーと、
前記チャンバー内に配設され、その下端部開口が前記チャンバーの底部に近接して配置されるとともに、その上端部開口が液体の流出管に接続された筒状体と、
を備えたことを特徴とする温浴装置。
【請求項２】
請求項１に記載の温浴装置において、
前記循環機構は、前記温浴槽から供給された液体を浄化するためのろ過部を備える温浴装置。
【請求項３】
請求項１または請求項２に記載の温浴装置において、
前記循環機構により循環する液体中に混合される気体は、前記液体の流入管に逆止弁を介して接続される気体供給機構から流入される温浴装置。
【請求項４】
請求項１乃至請求項３のいずれかに記載の温浴装置において、
前記循環機構により循環する液体中に混合される気体は、二酸化炭素である温浴装置。
【請求項５】
請求項１乃至請求項４のいずれかに記載の温浴装置において、
前記液体は、水である温浴装置。
【請求項６】
請求項１乃至請求項５のいずれかに記載の温浴装置において、
前記温浴槽は、脚用の温浴槽と、一対の腕用の温浴槽とから構成される温浴装置。
【請求項７】
請求項６に記載の温浴装置において、
前記循環機構は、脚用の温浴槽と、前記一対の腕用の温浴槽との間で液体を循環させる温浴装置。
【請求項８】
請求項６または請求項７に記載の温浴装置において、
座部と背凭れ部とを有する椅子を備え、
前記脚用の温浴槽は、椅子における座部の下方に配置され、
前記腕用の温浴槽は、椅子における座部の各側方に配置される温浴装置。
【発明の詳細な説明】
【技術分野】
【０００１】
この発明は、液体中に気体を混合して溶解させる混合機構を備えた温浴装置に関する。
【背景技術】
【０００２】
このような温浴装置として、体内の血行促進等の効果を発揮させるために浴槽水に二酸化炭素ガスを混合して浴槽内に供給する特許文献１に記載の装置が知られている。特許文献１に記載の装置は、その吸水口と吐水口とが浴槽内に接続される循環流路と、循環流路に浴槽水を循環させるポンプと、循環流路を循環する浴槽水に供給される酸性水を生成する有隔膜電解電極槽と、循環流路を循環する浴槽水に供給される炭酸塩を充填する炭酸塩溶解槽とを備える。このため、特許文献１に記載の装置によれば、循環流路を循環する浴槽水中に酸性水と炭酸塩とが反応することにより発生する二酸化炭素ガスを混合して浴槽内に供給することが可能となる。
【特許文献１】特開２００１−２０４７８７号公報
【発明の開示】
【発明が解決しようとする課題】
【０００３】
しかしながら、特許文献１に記載の装置は、浴槽水と二酸化炭素ガスとを単に陰極水供給路と炭酸ガス供給路と主流路とを合流させることにより混合していることから、浴槽水に二酸化炭素ガスを適度に溶解させることができない。このため、特許文献１に記載の装置によれば、浴槽水に二酸化炭素ガスを混合して浴槽内に供給したとしても、混合された二酸化炭素ガスが即座に浴槽水外に流出するという問題が生ずる。
【０００４】
この発明は、以上の問題を解決するためになされたものであり、液体中に気体を適度に溶解させることが可能な温浴装置を提供することを目的とする。
【課題を解決するための手段】
【０００５】
請求項１に記載の発明は、温浴槽と、液体の加熱機構と、前記温浴槽と前記加熱機構との間で液体を循環させる循環機構と、前記循環機構により循環する液体中に気体を混合して溶解させる混合機構と、を備えた温浴装置であって、前記混合機構は、その上部に液体の流入管に接続する孔部が形成されたチャンバーと、前記チャンバー内に配設され、その下端部開口が前記チャンバーの底部に近接して配置されるとともに、その上端部開口が液体の流出管に接続された筒状体と、を備えたことを特徴とする。
【０００６】
請求項２に記載の発明は、請求項１に記載の温浴装置において、前記循環機構は、前記温浴槽から供給された液体を浄化するためのろ過部を備える。
【０００７】
請求項３に記載の発明は、請求項１または請求項２に記載の温浴装置において、前記循環機構により循環する液体中に混合される気体は、前記循環機構に逆止弁を介して接続される気体供給機構から供給される。
【０００８】
請求項４に記載の発明は、請求項１乃至請求項３のいずれかに記載の温浴装置において、前記循環機構により循環する液体中に混合される気体は、二酸化炭素である。
【０００９】
請求項５に記載の発明は、請求項１乃至請求項４のいずれかに記載の温浴装置において、前記液体は、水である。
【００１０】
請求項６に記載の発明は、請求項１乃至請求項５のいずれかに記載の温浴装置において、前記温浴槽は、脚用の温浴槽と、一対の腕用の温浴槽とから構成される。
【００１１】
請求項７に記載の発明は、請求項６に記載の温浴装置において、前記循環機構は、前記脚用の温浴槽と、前記一対の腕用の温浴槽との間で液体を循環させる。
【００１２】
請求項８に記載の発明は、請求項６または請求項７に記載の温浴装置において、座部と背凭れ部とを有する椅子を備え、前記脚用の温浴槽は、椅子における座部の下方に配置され、前記腕用の温浴槽は、椅子における座部の各側方に配置される。
【発明の効果】
【００１３】
請求項１に記載の発明によれば、混合機構が、その上部に液体の流入管に接続する孔部が形成されたチャンバーと、チャンバー内に配設され、その下端部開口がチャンバーの底部に近接して配置されるとともに、その上端部開口が液体の流出管に接続された筒状体と、を備えたことから、簡易な構成でありながら、液体中に気体を適度に溶解させることが可能となる。
【００１４】
請求項２に記載の発明によれば、循環機構は、温浴槽から供給された液体を浄化するためのろ過部を備えることから、長期間液体を清潔に保つことが可能となる。
【００１５】
請求項３に記載の発明によれば、循環機構により循環する液体中に混合される気体は、循環機構に逆止弁を介して供給されることから、液体の逆流を防止することが可能となる。
【００１６】
請求項４に記載の発明によれば、循環機構により循環する液体中に混合される気体は、二酸化炭素であることから、体内の血行をより促進させることが可能となる。
【００１７】
請求項５に記載の発明によれば、液体は、水であることから、温浴装置を使用する際のコストを低減することが可能となる。
【００１８】
請求項６に記載の発明によれば、温浴槽は、脚用の温浴槽と、一対の腕用の温浴槽とから構成されることから、局所的に体内の血行を促進させることが可能となる。
【００１９】
請求項７に記載の発明によれば、循環機構は、脚用の温浴槽と、一対の腕用の温浴槽との間で液体を循環させることから、脚用の温浴槽に供給される液体と、一対の腕用の温浴槽に供給される液体とを単一に処理することが可能となる。
【００２０】
請求項８に記載の発明によれば、座部と背凭れ部とを有する椅子を備え、脚用の温浴槽は、椅子における座部の下方に配置され、腕用の温浴槽は、椅子における座部の各側方に配置されることから、安定した状態で体内の一部を温浴槽に浸漬させることができ、さらに体内の血行を促進させることが可能となる。
【発明を実施するための最良の形態】
【００２１】
以下、この発明の第１実施形態について図面に基づいて説明する。
【００２２】
図１は、この発明の第１実施形態に係る温浴装置を示す斜視図である。また、図２は、その使用状態を側方から示す説明図である。
【００２３】
この発明の第１実施形態に係る温浴装置は、座部１１と背凭れ部１２とを有する椅子１０と、椅子１０における座部１１の下方に配置される脚用の温浴槽２２と、椅子１０における座部１１の各側方に配置される一対の腕用の温浴槽２１（以下、「脚用の温浴槽２２」と「腕用の温浴槽２１」とを総称して「温浴槽２０」という。）と、温浴槽２０に流入出する液体の処理を行う液体処理装置１とを備える。
【００２４】
この発明の第１実施形態に係る温浴装置は、このように脚用の温浴槽２２と、一対の腕用の温浴槽２１とを備えることから、局所的に体内の血行を促進させることが可能となる。
【００２５】
図３は、この発明の第１実施形態に係る温浴装置における液体の循環を示す模式図である。
【００２６】
液体処理装置１において処理された液体は、給液管３１、３２を介して腕用の温浴槽２１に供給される。処理された液体が腕用の温浴槽２１に供給されることにより、腕用の温浴槽２１からオーバーフローする液体は、排液管４１、４２を介して排液される。排液管４１、４２に排液された液体は、給液管３３を介して脚用の温浴槽２２に供給される。脚用の温浴槽２２に貯留されている液体は、液体処理装置１に備えられるポンプ６０により排液管４３を介して再び液体処理装置１に排液され、液体処理装置１において処理される。
【００２７】
液体処理装置１は、液体の加熱機構としてのヒータ５０と、温浴槽２０とヒータ５０との間で液体を循環させる流路７１乃至７５を有する循環機構７０と、循環機構７０により循環する液体中に気体を供給する気体供給機構９０と、循環機構７０により循環する液体を浄化するためのろ過機構１００と、気体供給機構９０により供給された気体を混合して溶解させる混合機構１１０とを備える。
【００２８】
この発明の第１実施形態に係る温浴装置は、このような液体処理装置１を備えることから、脚用の温浴槽２２と一対の腕用の温浴槽２１とが同一の循環機構７０に接続されるように構成される。このため、脚用の温浴槽２２に供給される液体と、一対の腕用の温浴槽２１に供給される液体とを共用することが可能となる。
【００２９】
循環機構７０は、脚用の温浴槽２２から液体を吸液するためのポンプ６０に接続される流路７２と、流路７２とろ過機構１００とを接続する流路７３と、ろ過機構１００と混合機構１１０とを接続する流路７４と、混合機構１１０とヒータ５０とを接続する流路７５とを備える。
【００３０】
なお、流路７２と流路７３との間には、温浴装置外部の排液管８３に接続される排液管８２と流路７３とのいずれか一方と流路７２とを接続させる切替弁５２が備えられる。これにより、液体を脚用の温浴槽２２から直接排液管８３に排液することが可能となる。
【００３１】
また、ヒータ５０は、排液管８３に開閉弁５１および排液管８２を介して接続される。これにより、ヒータ５０から腕用の温浴槽２１への液体の供給量を簡易に調整することが可能となる。
【００３２】
気体供給機構９０は、気体供給部からの気体の流量を調整する調節弁９１と、気体の逆流を防止するための逆止弁９２とを備え、循環機構７０における流路７３に接続される。これにより、気体の供給量を調整することが可能となる。
【００３３】
図４は、この発明の第１実施形態に係る温浴装置を構成するろ過機構１００を示す説明図である。
【００３４】
ろ過機構１００は、上部に開口部を有する筒状の容器１０１と、容器１０１の開口部を閉止するための蓋部材１０２と、容器１０１内部に配設されるろ過フィルタ１０３とを備える。蓋部材１０２には、流路７３に接続され、容器１０１内部へと挿通する流入孔部１０２ａと、流路７４に接続され、容器１０１内部へと挿通する流出孔部１０２ｂとが形成される。これにより、流路７３から供給される液体をろ過フィルタ１０３によりろ過した後、流路７４に排出することが可能となる。
【００３５】
図５は、この発明の第１実施形態に係る温浴装置を構成する混合機構１１０を示す説明図である。
【００３６】
混合機構１１０は、上部に開口部を有する筒状の容器１１１と、容器１１１の開口部を閉止するための蓋部材１１２と、容器１１１内部に配設される筒状体１１３とを備える。蓋部材１１２には、流路７４に接続され、容器１１１内部へと挿通する流入孔部１１２ａと、流路７５に接続され、容器１１１内部へと挿通する流出孔部１１２ｂとが形成される。筒状体１１３は、下端部開口１１３ａが容器１１１の底部に近接して配置されるとともに、上端部開口１１３ｂが蓋部材１１２の流出孔部１１２ｂを介して流路７５に接続される。
【００３７】
このため、流路７４から供給される液体は、容器１１１の底部まで到達した後に流路７５に排出されることとなる。これにより、液体と気体との比重差により、上昇しようとする気体流と流路７４から供給される液体流とにより容器１１１内部に対流が発生し、液体中に気体を適度に溶解させることが可能となる。
【００３８】
このような温浴装置を使用する場合には、まず、一対の腕用の温浴槽２１および脚用の温浴槽２２に水を貯留する。そして、脚用の温浴槽２２に貯留される水は、ポンプ６０の吸液により排液管４３を介して液体処理装置１に排液される。そして、液体処理装置１に排液された水は、流路７２を介して流路７３に流入する。流路７３に流入した水に対して、気体供給機構９０から二酸化炭素が供給される。なお、流路７２に流入した水をこの温浴装置内を循環させることなく外部へ排出する場合には、切替弁５２を切り替えることにより、排液管８２に排出させて排液する。また、気体供給機構９０から供給される二酸化炭素の供給量は、調節弁９１および逆止弁９２の調節により、調整することができる。
【００３９】
流路７３において二酸化炭素が供給された水は、ろ過機構１００に流入する。ろ過機構１００に流入した水は、ろ過機構１００におけるろ過フィルタ１０３の作用により浄化される。ろ過機構１００において浄化された水は、流路７４に流入する。流路７４に流入した水は、混合機構１１０に流入する。ここで、容器１１１の内部で発生する対流の作用により、混合機構１１０に流入した水に、気体供給機構９０において供給された二酸化炭素が適度に溶解される。
【００４０】
このようにして二酸化炭素が適度に溶解された水は、流路７５に流入する。流路７５に流入した水は、次に、ヒータ５０に流入する。ヒータ５０に流入した水は、ヒータ５０の作用により、昇温される。このようにして昇温された水は、給液管３１、３１に流入して、液体処理装置１から流出する。なお、ヒータ５０により昇温された水をこの温浴装置内を循環させることなく外部へ排出する場合には、開閉弁５１を開放することにより、排液管８１に排出させて排液する。
【００４１】
そして、給液管３１、３２に流入した水は、一対の腕用の温浴槽２１に供給される。水が給液管３１、３２を介して腕用の温浴槽２１に供給されることにより、腕用の温浴槽２１に予め貯留されていた水が、腕用の温浴槽２１からオーバーフローして、排液管４１、４２に排液される。排液管４１、４２に排液された水は、給液管３３に流入する。給液管３３に流入した水は、脚用の温浴槽２２に流入する。
【００４２】
このようにして、水を浄化し、この浄化した水に対して二酸化炭素を混合して溶解させた後、水を昇温させながら、腕用の温浴槽２１と脚用の温浴槽２２と液体処理装置１との間で水を循環させることが可能となる。
【００４３】
このような発明の第１実施形態に係る温浴装置によれば、温浴槽に二酸化炭素が溶解された水が貯留されることから、温浴槽に体の一部を浸漬させることにより体内の血行をより促進させることが可能となる。
【００４４】
次に、この発明の他の実施の形態について図面に基づいて説明する。
【００４５】
図６は、この発明の第２実施形態に係る温浴装置における液体の循環を示す模式図である。
【００４６】
この第２実施形態に係る温浴装置は、第１実施形態に係る温浴装置の液体処理装置１に代えて液体処理装置２を備える点で、第１実施形態に係る温浴装置とは異なる。なお、第２実施形態に係る温浴装置における液体処理装置２は、第１実施形態に係る温浴装置における液体処理装置１のろ過機構１００、流路７４、および、混合機構１１０に代えて、ろ過混合機構１２０を備える。
【００４７】
図７は、この発明の第２実施形態に係る温浴装置を構成するろ過混合機構１２０を示す説明図である。
【００４８】
このろ過混合機構１２０は、上部に開口部を有する筒状の容器１２１と、容器１２１の開口部を閉止するための蓋部材１２２と、容器１２１内部に配設されるろ過フィルタ１２３と、容器１２１内部に配設される筒状体１１３を備える。蓋部材１２２には、流路７３に接続され、容器１２１内部へと挿通する流入孔部１２２ａと、流路７４に接続され、容器１２１内部へと挿通する流出孔部１２２ｂとが形成される。ろ過フィルタ１２３には、筒状体１２４を挿通する孔部１２３ａが形成される。筒状体１２４は、下端部開口１２４ａが容器１２１の底部に近接して配置されるとともに、上端部開口１２４ｂが蓋部材１２２の流出孔部１２２ｂを介して流路７５に接続される。これにより、流路７３から供給される液体をろ過フィルタ１２３によりろ過した後、液体と気体との比重差により発生する対流の作用で気体を適度に溶解させて流路７５に排出することが可能となる。
【００４９】
この発明の第２実施形態に係る温浴装置によれば、単一のろ過混合機構１２０により、水のろ過と、水に対する二酸化炭素の溶解とを達成することから、第１実施形態に係る温浴装置と比べて、より簡易な構成でありながら、長期間液体を清潔に保ちつつ、水中に二酸化炭素を適度に溶解させることが可能となる。
【００５０】
なお、上述した実施形態において、温浴装置は腕用の温浴槽２１と脚用の温浴槽２２とを備えるが、腕用の温浴槽２１または脚用の温浴槽２２に代えて、一般の温浴槽、または、腕や脚の他の体の局所を浸漬するための温浴槽であってもよい。
【００５１】
また、上述した実施形態において、座部１１や背凭れ部１２の内側に、たとえばモータ等を駆動源として上下または水平方向にスライド移動可能な複数の突状体を配置したり、振動部材を配置したりすることにより、マッサージ機能を有する椅子１０を備えてもよい。
【００５２】
また、上述した実施形態において、一対の腕用の温浴槽２１は、椅子１０に対して水平方向、上下方向、前後方向に移動可能な構成としてもよい。この場合、たとえば温浴槽２１は、モータ等を駆動源として椅子１０に対して水平方向にスライド移動可能なスライド部材を介して椅子１０に接続されることにより、水平方向に移動可能としてもよい。また、同様にモータ等を駆動源として椅子１０に対して上下方向にスライド移動可能なスライド部材を介して椅子１０に接続されることにより、上下方向に移動可能としてもよい。さらに、椅子１０に対して前後方向に移動可能なレバー部材を介して水平方向もしくは上下方向の移動用のスライド部材、または、椅子１０に接続されることにより、前後方向に移動可能としてもよい。このように、温浴槽２１を水平方向、上下方向、前後方向に移動可能な構成とすることにより、体のサイズに合わせて温浴装置を使用することが可能となる。
【００５３】
また、上述した実施形態の温浴装置において、背凭れ１２を座部１１に対する傾斜角度を変更可能なリクライニング機能を備えてもよい。
【００５４】
また、上述した実施形態の温浴装置において、脚用の浴槽２２はジェット水流バルブを介して給液管３３と接続されてもよい。これにより、脚用の浴槽２２内にジェット水流が発生し、体内の血行をより促進することが可能となる。
【００５５】
さらに、上述した実施形態の温浴装置においては、気体供給機構９０を備えているが、気体供給機構９０に加えて、たとえば体内の血行を促進する効果を奏する有機ゲルマニウム等を供給する血行促進物供給機構を備えてもよい。この場合においても、血行促進物供給機構により血行促進物が供給された液体が第１実施形態における混合機構１００または第２実施形態におけるろ過混合機構１２０を通過することにより、液体に血行促進物を適度に溶解させることが可能となる。
【図面の簡単な説明】
【００５６】
【図１】この発明の第１実施形態に係る温浴装置を示す斜視図である。
【図２】この発明の第１実施形態に係る温浴装置の使用状態を側方から示す説明図である。
【図３】この発明の第１実施形態に係る温浴装置における液体の循環を示す模式図である。
【図４】この発明の第１実施形態に係る温浴装置を構成するろ過機構１００を示す説明図である。
【図５】この発明の第１実施形態に係る温浴装置を構成する混合機構１１０を示す説明図である。
【図６】この発明の第２実施形態に係る温浴装置における液体の循環を示す模式図である。
【図７】この発明の第２実施形態に係る温浴装置を構成するろ過混合機構１２０を示す説明図である。
【符号の説明】
【００５７】
１      液体処理装置
２      液体処理装置
１０    椅子
１１    座部
１２    背凭れ部
２０    温浴槽
２１    腕用の温浴槽
２２    脚用の温浴槽
３１    給液管
３２    給液管
３３    給液管
４１    排液管
４２    排液管
４３    排液管
５１    開閉弁
５２    切替弁
６０    ポンプ
７０    循環機構
７２    流路
７３    流路
７４    流路
７５    流路
８１    排液管
８２    排液管
８３    排液管
９０    気体供給機構
９１    調整弁
９２    逆止弁
１００  ろ過機構
１０１  容器
１０２  蓋部材
１０３  ろ過フィルタ
１１０  混合機構
１１１  容器
１１２  蓋部材
１１３  筒状体
１２０  ろ過混合機構
１２１  容器
１２２  蓋部材
１２３  ろ過フィルタ
１２４  筒状体
【図１】
2006141617.tif 000003
【図２】
2006141617.tif 000004
【図３】
2006141617.tif 000005
【図４】
2006141617.tif 000006
【図５】
2006141617.tif 000007
【図６】
2006141617.tif 000008
【図７】
2006141617.tif 000009